(57)【要約】【課題】  冠婚葬祭等の会合に出席する人が毛筆等の筆記用具を使用しなくても自分の芳名を記帳することができる記帳システムを提供することを課題とする。【解決手段】  記帳システム１によれば、冠婚葬祭等の会合に出席する出席者が携帯した芳名データ記録カード２を、その会合会場の受付に設けられたカードリーダー３にセットすると、カードリーダー３は芳名データ記録カード２に記録されている芳名データを読み取り、そのデータを変換部４に送る。変換部４は、芳名データを芳名文字印字データに変換してプリンター５に送ると、プリンター５は、予めセットされた芳名帳用紙に、順次、それぞれの出席者の芳名を印字し、所定人数の芳名印字が終了する毎に、芳名帳６を排出する。【選択図】        図１
2006024042.tif 000002
【特許請求の範囲】
【請求項１】
会合の出席者が会合会場の受付で筆記具を使用することなく自分の芳名を記帳するための記帳システムであって、
前記出席者個人の芳名データを予め記録した携帯可能な芳名データ記録手段と、前記それぞれの出席者が携帯した前記芳名データ記録手段に記録されている芳名データを前記会合会場の受付において読み取る芳名データ読取手段と、前記芳名データ読取手段により読み取られた前記芳名データに基づいて当該会合の出席者の芳名帳を作成する芳名帳作成手段とを備えたことを特徴とする記帳システム。
【請求項２】
前記芳名データ記録手段は、前記芳名データが予め記録されているカードであることを特徴とする請求項１に記載の記帳システム。
【請求項３】
前記芳名データ記録手段は、前記芳名データが携帯電話回線で送信可能な状態にセットされた携帯電話であるとともに、前記芳名データ読取手段は、前記携帯電話から送信された前記芳名データを前記会合会場の受付において読み取る受信機能を備えたことを特徴とする請求項１に記載の記帳システム。
【発明の詳細な説明】
【技術分野】
【０００１】
本発明は、冠婚葬祭等の会合に出席する人が会合会場の受付で自分の芳名を記帳するための記帳システムに関する。
【背景技術】
【０００２】
従来、冠婚葬祭等の会合に出席する出席者は、受付に設けられた記帳所に行き、一般に毛筆を用いて芳名を記帳することが多い（特許文献１参照）。
【０００３】
しかしながら、冠婚葬祭等の会合に出席する出席者の多くは、ボールペンや万年筆の筆記用具や、パーソナルコンピュータのワードプロセッサ機能を利用して文字を書くことが多く、毛筆を使い慣れていないために、毛筆で上手に記帳することができない。或いは、老齢の出席者の場合、老眼の人が多く、芳名の記帳に時間がかかるため、会合会場の受付に長い列ができることがある。
【特許文献１】特開平９−１８７３１２号公報
【発明の開示】
【発明が解決しようとする課題】
【０００４】
そこで本発明では、冠婚葬祭等の会合に出席する出席者が毛筆等の筆記用具を使用しなくても自分の芳名を記帳することができる記帳システムを提供することを解決すべき課題とするものである。
【課題を解決するための手段】
【０００５】
上記課題は、特許請求の範囲の欄に記載した記帳システムにより解決することができる。
請求項１，２，３に記載の記帳システムによれば、冠婚葬祭等の会合に出席するそれぞれの出席者は、当該会合会場の受付において、携帯した記帳データ記録手段に予め記録されている当該出席者の氏名、住所等を含む芳名データをデータ読取手段により読み取らせると、芳名帳作成手段は、芳名データ読取手段により読み取られたそれぞれの出席者の芳名データに基づいて当該会合の出席者の芳名帳を作成する。これにより、冠婚葬祭等の会合に出席する出席者は、毛筆等の筆記用具を使用しなくても自分の芳名を記帳することができる。
【発明の効果】
【０００６】
本発明によれば、冠婚葬祭等に出席する出席者は、使い慣れていない毛筆等の筆記用具を使用しなくても自分の芳名を記帳することができるため、他の出席者に気兼ねなく自分の芳名を記帳することができる。
【発明を実施するための最良の形態】
【０００７】
次に、本発明の実施の形態について説明する。
図１は、第１の実施の形態の全体的な構成を示した記帳システム系統図である。また、図２は、第２の実施の形態の全体的な構成を示した記帳システム系統図である。以下、第１の実施の形態及び第２の実施の形態の構成を作用とともに説明する。
【０００８】
第１の実施の形態の構成を示した図１の記帳システム１において、芳名データ記録カード２は、例えば結婚式に招待されている出席者が、結婚式場の受付に携帯するものであって、それぞれの出席者の氏名、住所、それに会社や役所関係者であれば、会社名、役所名、役職名等の芳名データが予め磁気的に記録されているものである。この芳名データ記録カード２は、例えば名刺やクレジットカード状の大きさのプラスチック板で形成されており、このプラスチック板に上記の芳名データが磁気的に、あるいは電子的に記録されている。
【０００９】
カードリーダー３は、それぞれの出席者が携帯した芳名データ記録カード２に記録されている芳名データを読み取る装置であり、結婚式場の受付に設置されるものである。これにより、芳名データ記録カード２を携帯した出席者が、その芳名データ記録カード２を結婚式場の受付に設置されたカードリーダー３にセットすると、カードリーダー３は、その芳名データ記録カード２の芳名データを読み取り、その読取データを変換部４に送る。
【００１０】
変換部４は、カードリーダー３が読み取った芳名データを漢字等の芳名文字に変換するためのソフトウエア機能を有する電子回路から成る。これにより、芳名データ記録カード２に記録されている芳名データは、当該出席者の芳名文字に変換されたあと、印字文字データとしてプリンター５に送られる。
尚、前記芳名データ記録カード２に記録されている芳名データは、当該出席者の漢字氏名、住所表示等を正確にデータ化したものである。
【００１１】
プリンター５は、変換部４から送られた上記の印字文字データに基づいて、予めセットされている芳名帳用紙に、出席者の氏名、住所、会社名や役所名、役職名等を順次、印字し、所定人数の出席者の芳名印字が終了する毎に、記帳済みの芳名帳６を排出する。
尚、上述したように、前記芳名データ記録カード２に記録されている芳名データは、当該出席者の漢字氏名、住所表示等を正確にデータ化されたものであるため、変換部４からプリンター５に送られた印字文字データは、当該出席者の漢字氏名、住所表示等を正確に対応したものである。そのため、プリンター５は、自動的に当該出席者の漢字氏名、住所表示などを正確に印字する。
【００１２】
以上のように、第１の実施の形態によれば、結婚式に出席する出席者は、使い慣れていない毛筆等の筆記用具を使用しなくても、携帯した芳名データ記録カード２をカードリーダー３にセットするだけで自分の芳名を記帳することができる。従って、字の下手な人でも他人の目を気にする必要がない。また、老眼の人でも速やかに記帳することができる。
【００１３】
次に、第２の実施の形態について説明する。
第２の実施の形態の構成を示した図２の記帳システム１０において、携帯電話１１は、例えば葬式に参列する出席者（参列者）が葬儀場の受付に携帯するものである。この携帯電話１１は、内部の電子回路に、当該出席者の氏名、住所、会社名、役所名、役職名等の芳名データを予め記録しておくことができるとともに、この芳名データをメール送信できるようになっている。尚、この芳名データをメール送信する場合、表示器１１ａに当該芳名データに対応した上記氏名、住所、会社名、役所名、役職名等の文字が表示される。
尚、前記携帯電話１１に記録されている芳名データは、当該出席者の漢字氏名、住所表示等を正確にデータ化したものである。
【００１４】
携帯電話１１からメール送信された芳名データは、携帯電話回線１２を介し、葬儀場の受付に設置された芳名データ受信部１３で受信される。この芳名データ受信部１３は、図示していないデモジュレーターを有しており、携帯電話回線１２を介して送信されてきた上記の芳名データを受信し、受信した芳名データを復調する。そして、復調した芳名データを変換部１４に送る。
【００１５】
変換部１４は、芳名データ受信部１３から送られた芳名データを漢字等の芳名文字に変換するためのソフトウエア機能を有する電子回路から成る。これにより、携帯電話１１からメール送信された芳名データは、当該出席者の芳名文字に変換されたあと、印字文字データとしてプリンター１５に送られる。
【００１６】
プリンター１５は、変換部１４から送られた上記の印字文字データに基づいて、予めセットされている芳名帳用紙に、出席者の氏名、住所、会社名や役所名、役職名等を順次、印字し、所定人数の出席者の芳名印字が終了する毎に、記帳済みの芳名帳１６を排出する。
尚、上述したように、前記携帯電話１１に記録されている芳名データは、当該出席者の漢字氏名、住所表示等を正確にデータ化されたものであるため、変換部１４からプリンター１５に送られた上記印字文字データは、当該出席者の漢字氏名、住所表示等を正確に対応したものである。そのため、プリンター１５は、自動的に当該出席者の漢字氏名、住所表示などを正確に印字する。
【００１７】
以上のように、第２の実施の形態によれば、葬儀に参列する出席者（参列者）は、使い慣れていない毛筆等の筆記用具を使用しなくても、携帯した携帯電話１１から芳名データをメールするだけで自分の芳名を記帳することができる。従って、字の下手な人でも他人の目を気にする必要がない。また、老眼の人でも速やかに記帳することができる。
【００１８】
尚、以上の実施の形態では、芳名データ記録手段として芳名データ記録カード２、及び携帯電話１１を示したが、これに限らず、出席者が自分の芳名文字を予めプリントした紙を結婚式や葬儀会場の受付まで持参し、この芳名文字を受付に置かれた撮像装置で直接的に読み取らせることによって記帳することもできる。
【図面の簡単な説明】
【００１９】
【図１】本発明の第１の実施の形態のシステム系統図である。
【図２】本発明の第２の実施の形態のシステム系統図である。
【符号の説明】
【００２０】
１  記帳システム
２  芳名データ記録カード
３  カードリーダー
４  変換部
５  プリンター
６  芳名帳
１０  記帳システム
１１  携帯電話
１２  携帯電話回線
１３  芳名データ受信部
１４  変換部
１５  プリンター
１６  芳名帳
【図１】
2006024042.tif 000003
【図２】
2006024042.tif 000004